(57)【要約】エレベーターのかご操作盤１０は行先階釦を表示し、該行先階釦に乗客が接触することにより行先階を指定できるタッチパネルディスプレイを備えたエレベーターのかご作盤において、タッチパネルディスプレイの特定領域を触れるたことを検知する検知手段２２，２４と、該検知手段２２，２４の検知に基づいて行先階釦部１２ａ〜１２ｇをスクロールしてタッチパネルディスプレイに表示するスクロール表示手段３１，３３と、行先階釦部１２ａ〜１２ｇに触れて行先階を登録することにより行先階釦部１２ａ〜１２ｇの表示内容が拡大すると共に、行先階に関する情報が増加して表示される表示・情報拡大手段３５と、を備えたことを特徴とする。
2007116465.tif 000002
【特許請求の範囲】
【請求項１】
行先階釦を表示し、上記行先階釦に乗客が接触することにより行先階を指定できるタッチパネルディスプレイを備えたエレベーターのかご作盤において、
前記タッチパネルディスプレイの特定領域を触れるたことを検知する検知手段と、
該検知手段の検知に基づいて行先階釦部をスクロールして前記タッチパネルディスプレイに表示するスクロール表示手段と、
前記行先階釦部に触れて行先階を登録することにより前記行先階釦部の表示内容が拡大すると共に、前記行先階に関する情報が増加して表示される表示・情報拡大手段と、
を備えたことを特徴とするエレベーターのかご操作盤。
【請求項２】
前記表示・情報拡大手段は、前記行先階が登録されたことにより色彩が変更する色彩変更手段を、
を備えたことを特徴とする請求項１に記載のエレベーターのかご操作盤。
【発明の詳細な説明】
【技術分野】
【０００１】
本発明は、エレベーターのかご操作盤に関するものである。
【背景技術】
【０００２】
従来のエレベーターのかご操作盤は下記特許文献１に記載のように、エレベーターの主制御盤を介して制御されて動作するかごに設けられ、人の指でタッチすることにより動作する入力手段が装備されると共に、画面が複数の機能モードに切替え可能に構成された多機能タッチコントロールパネルからなり複数の機能モードごとに上記主制御盤に接続可能に構成され、機能モードによりエレベーターが制御される副制御盤により形成されている。【０００３】
かかるかご操作盤によれば、通常時は副制御盤に人の指でタッチすることにより動作する入力手段による一般乗客操作機能が表示される。また、変更、追加が可能であって人の指でタッチすることにより動作する入力手段によるエレベーターの各種機能用の特定者操作機能が所定操作によって副制御盤に表示される。
したがって、一般乗客操作釦、エレベーターの各種機能が付勢される特定者操作釦の変更、追加を容易化する効果がある。また、エレベーターの各種機能の種類が増加しても小形のかご操作盤により対応することが可能で、かごへ容易に装着でき、また良好な操作性を得ることができる。【０００４】
【特許文献１】特開平６−１４４７２６号公報
【発明の開示】
【発明が解決しようとする課題】
【０００５】
しかし、上記エレベーターのかご操作盤は、多数階にサービスを成すエレベーターでは、タッチパネルディスプレイに全てが表示されにくく、表示しても該表示情報が小さく表示されるという課題があった。【０００６】
本発明は、上記のような問題点を解決するためになされたもので、タッチパネルディスプレイに行先階の情報を適切に表示するエレベーターのかご操作盤を得ることを目的としている。
【課題を解決するための手段】
【０００７】
第１の発明に係るエレベーターのかご操作盤は、行先階釦を表示し、上記行先階釦に乗客が接触することにより行先階を指定できるタッチパネルディスプレイを備えたエレベーターのかご作盤において、前記タッチパネルディスプレイの特定領域を触れるたことを検知する検知手段と、該検知手段の検知に基づいて行先階釦部をスクロールして前記タッチパネルディスプレイに表示するスクロール表示手段と、前記行先階釦部に触れて行先階を登録することにより前記行先階釦部の表示内容が拡大すると共に、前記行先階に関する情報が増加して表示される表示・情報拡大手段と、を備えたことを特徴とするものである。【０００８】
第２の発明に係るエレベーターのかご操作盤における表示・情報拡大手段は、行先階が登録されたことにより色彩が変更する色彩変更手段を備えたことを特徴とするものである。
【発明の効果】
【０００９】
第１の発明によれば、検知手段がタッチパネルディスプレイの特定領域を触れるたことを検知すると、スクロール表示手段が該検知に基づいて行先階釦部をスクロールしてタッチパネルディスプレイに表示し、表示・情報拡大手段は行先階釦部に触れて行先階を登録することにより行先階釦部の表示内容を拡大すると共に、行先階に関する情報が増加して表示される。これにより、かご操作盤には、行先階が登録された、必要な時に行き先階に関する情報が多くなる。したがって、エレベーターのサービス性が向上すると共に、適切な大きさで行先階の情報を表示できるという効果がある。【００１０】
第２の発明によれば、表示・情報拡大手段は、行先階が登録されたことにより色彩が変更する色彩変更手段を備えたので、視覚で行先が登録したことを認知できるという効果がある。
【図面の簡単な説明】
【００１１】
【図１】本発明の一実施の形態によるエレベーターのかごの全体斜視図である。
【図２】図１に示すかご操作盤の表示部の正面図である。
【図３】図１に示すかご操作盤の電気ブロック図である。
【図４】図１に示すかご操作盤の表示部に行先階が登録して拡大された行先釦部を含む正面図である。
【図５】図１に示す上部領域又は下部領域に触れた場合のかご操作盤の動作を示すフローチャート(a)、行先階を登録した場合のかご操作盤の動作を示すフローチャート(b)である。
【符号の説明】
【００１２】
５  かご、１０  かご操作盤、１２ａ〜１２ｇ，１１２ｆ  行先釦部、１４  下部領域、１７  上部領域、２２  上部検知手段、２４  下部検知手段、２６  行先階検知手段、３１  上部スクロール手段、３３  下部スクロール手段、３５  表示・情報拡大手段、３７  色彩変更手段。
【発明を実施するための最良の形態】
【００１３】
実施の形態１．
本発明の一実施の形態を図１乃至図４によって説明する。図１は本発明の一実施の形態によるエレベーターのかごの全体斜視図、図２は図１に示すかご操作盤の表示部の正面図、図３は図１に示すかご操作盤の電気ブロック図、図４は図１に示すかご操作盤の表示部に行先階が登録して拡大された行先釦部を含む正面図である。
図１において、エレベーターのかご５は、かご５の出入り口を開閉するかごの戸７と、側面に設けられたかご操作盤１０とを有している。【００１４】
図２及び図３において、かご操作盤１０の表示部１５はタッチパネルディスプレイから成っており、かご操作盤１０には、制御装置２０を有している。制御装置２０の検知手段２１は、１階から７階の行先階釦部１２ａ〜１２ｇに乗客が接触したことを検知すると共に、接触した行先階釦部１２ａ〜１２ｇに対応する行先階を登録する行先階検知手段２６と、下部領域１４に触れたことを検知する下部検知手段２４と、表示部１５の上部領域１７に触れたことを検知する上部検知手段２２と、を有している。【００１５】
制御装置２０の表示手段３０は、下部領域１４に人の指が触れると、現在表示されている階床よりも下の階を表示する下部スクロール表示手段３３と、上部領域１７に人の指が触れると、現在表示されている階床よりも上の階を表示する上部スクロール表示手段３１と、行先階検知手段２６が行先階釦部１２ａ〜１２ｇの少なくとも一つに触れたことを検出して、行先階の表示を拡大すると共に、触れる前よれも表示情報を多くする表示・情報拡大手段３５と、行先階検知手段２６が行先階釦部１２ａ〜１２ｇの少なくとも一つに触れたことを検出して行先釦部１２ａ〜１２ｇの色彩を変更する色彩変更手段３７とを備えている。【００１６】
上記のように構成されたエレベーターのかご操作盤を図１乃至図５によって説明する。図５は図１に示す上部領域又は下部領域に触れた場合のかご操作盤の動作を示すフローチャート(a)、行先階を登録した場合のかご操作盤の動作を示すフローチャート(b)である。
まず、図３に示す上部検知手段２２はかご５内の人が図２示す表示部１５の上部領域１７に触れたか否かを判断し(ステップＳ１０１)、触れたと判断すると、上部スクロール表示手段３１は、７階以上、つまり、８階、９階等の行先釦を表示部１５に表示する(ステップＳ１０５)。
一方、図３に示す下部検知手段２４は図２示すかご内の人が表示部１５の下部領域１４に触れたか否かを判断し(ステップＳ１０３)、触れたと判断すると、下部スクロール表示手段３３は、Ｂ１階、Ｂ２階等の行先釦を表示部１５に表示する(ステップＳ１０７)。【００１７】
次に、図３に示す行先階検知手段２６は、人が行先釦部１２ａ〜１２ｇの少なくとも一つに触れたか否かを判断し(ステップＳ２０１)、６階の行先釦１２ｆに触れたと判断すると、図４に示すように、表示・情報拡大手段３５は、拡大された６階の行先釦１１２ｆを表示すると共に、表示情報が増加する。つまり、６階の行先釦１２ｆに触れる前には表示されていなかった和食、イタリアン、中華、フレンチの各店の待ち時間が表示される(ステップＳ２０３)。そして、色彩変更手段３７は、６階の行先釦１１２ｆの色彩を薄い青から濃い青に変更して表示する(ステップＳ２０５)。【００１８】
上記実施形態のエレベーターのかご操作盤１０によれば、表示部１５の下部領域１４に触れるたことを検知する下部検知手段２４と、表示部１５の上部領域１７に触れるたことを検知する上部検知手段２２と、下部検知手段２４の検知に基づいて現在表示されている行先階釦部１２ａ〜１２ｇよりも下の階をスクロールして表示部１５に表示する下部スクロール表示手段３３と、上部検知手段２２の検知に基づいて現在表示されている行先階釦部１２ａ〜１２ｇよりも上の階をスクロールして表示部１５に表示する上部スクロール表示手段３１と、行先階釦部１２ａ〜１２ｇのいずれかに触れて行先階を登録することにより登録された行先階釦部１２ａ〜１２ｇの表示内容が拡大すると共に、行先階に関する情報が増加して表示される表示・情報拡大手段３５とを備えたものである。
これにより、検知手段２１が表示部１５の下部領域１４又は上部領域１７を触れるたことを検知すると、スクロール表示手段３１，３３が該検知に基づいて行先階釦部１２ａ〜１２ｇをスクロールして現在表示されている階よりも下の階又は上の階を表示部１５に表示する。行先階検知手段２６が行先階釦部１２ａ〜１２ｇに人が触れたことを検知すると、行先階検知手段２６が行先階を登録して、表示・情報拡大手段３５が行先階釦部１２ａ〜１２ｇに触れた行先階釦部１２ａ〜１２ｇの表示内容が拡大すると共に、行先階に関する情報が増加して表示される。これにより、かご操作盤１０には、行先階に関する情報が行先階釦部に触れる前よりも多くなり、エレベーターのサービス性が向上すると共に、適切な大きさで情報を表示できるという効果がある。
【産業上の利用可能性】
【００１９】
本発明に係るエレベーターのかご操作盤は、多階床にサービスするエレベーターに適する。
【図１】
2007116465.tif 000003
【図２】
2007116465.tif 000004
【図３】
2007116465.tif 000005
【図４】
2007116465.tif 000006
【図５】
2007116465.tif 000007
【国際調査報告】
2007116465.tif 000008
2007116465.tif 000009
2007116465.tif 000010
2007116465.tif 000011